(57)【特許請求の範囲】
【請求項１】
特定の金種の棒金硬貨を収納する棒金収納部を１または複数有する棒金収納ユニットと、
複数の前記棒金収納ユニットをレイアウト変更可能に収容する収納ドロアと、
前記収納ドロアからの前記棒金収納ユニットの取り出しを規制する規制手段と、
前記収納ドロアに装着された前記棒金収納ユニットの各棒金収納部に収納された棒金を検知する棒金検知手段と、
を備えたことを特徴とする棒金収納庫。
【請求項２】
前記棒金収納ユニットは、異なる金種の棒金硬貨をそれぞれ収納する複数の棒金収納部を有することを特徴とする請求項１記載の棒金収納庫。
【請求項３】
前記収納ドロアは、棒金硬貨の一部の金種に対応する前記棒金収納ユニットのみについてレイアウト変更可能に収容するようになっており、他の金種に対応する前記棒金収納ユニットの配置箇所は固定されていることを特徴とする請求項１または２記載の棒金収納庫。
【請求項４】
前記規制手段は、それぞれの前記棒金収納ユニットについて、他の棒金収納ユニットから独立して前記収納ドロアからの取り出しを規制するようになっていることを特徴とする請求項１乃至３のいずれか一項に記載の棒金収納庫。
【請求項５】
前記規制手段は、複数の前記棒金収納ユニットについて、前記収納ドロアからの前記棒金収納ユニットの取り出しを一括して規制するようになっていることを特徴とする請求項１乃至３のいずれか一項に記載の棒金収納庫。
【請求項６】
前記規制手段は、全ての前記棒金収納ユニットについて、前記収納ドロアからの前記棒金収納ユニットの取り出しを一括して規制するようになっていることを特徴とする請求項１または２記載の棒金収納庫。
【請求項７】
前記収納ドロアに収容された前記棒金収納ユニットの種別を検知する棒金収納ユニット検知手段を更に備えたことを特徴とする請求項１乃至６のいずれか一項に記載の棒金収納庫。
【請求項８】
前記棒金検知手段が、前記棒金収納ユニット検知手段を兼ねることを特徴とする請求項７に記載の棒金収納庫。
【請求項９】
前記棒金収納ユニット検知手段は光学センサを有し、
前記棒金収納ユニットは、当該棒金収納ユニットの前記棒金収納部に収納された棒金硬貨の形状を前記光学センサにより検知するための透光部分を有し、当該透光部分は前記棒金収納ユニットの種別毎に異なる形状となっており、
前記光学センサは、前記棒金収納ユニットの前記透光部分の形状を検知することにより当該棒金収納ユニットの種別を検知するようになっていることを特徴とする請求項８記載の棒金収納庫。
【請求項１０】
前記光学センサは、当該棒金収納ユニットの前記棒金収納部に収納された棒金硬貨の形状を検知する際に、当該棒金硬貨の直径、長手方向の長さ、または中心穴の有無を検知するようになっていることを特徴とする請求項９記載の棒金収納庫。
【請求項１１】
特定の金種の棒金硬貨を収納する棒金収納部を１または複数有する棒金収納ユニットと、
複数の前記棒金収納ユニットをレイアウト変更可能に収容する収納ドロアと、
前記収納ドロアに収容された前記棒金収納ユニットの種別を検知する棒金収納ユニット検知手段と、
を備えたことを特徴とする棒金収納庫。
【請求項１２】
前記棒金収納ユニット検知手段は、前記棒金収納ユニットの前記棒金収納部に収納された棒金硬貨の金種を検知するのにも用いられることを特徴とする請求項１１記載の棒金収納庫。
【請求項１３】
前記棒金収納ユニット検知手段は光学センサを有し、
前記棒金収納ユニットは、当該棒金収納ユニットの前記棒金収納部に収納された棒金硬貨の形状を前記光学センサにより検知するための透光部分を有し、当該透光部分は前記棒金収納ユニットの種別毎に異なる形状となっており、
前記光学センサは、前記棒金収納ユニットの前記透光部分の形状を検知することにより当該棒金収納ユニットの種別を検知するようになっていることを特徴とする請求項１２記載の棒金収納庫。
【請求項１４】
前記光学センサは、当該棒金収納ユニットの前記棒金収納部に収納された棒金硬貨の形状を検知する際に、当該棒金硬貨の直径、長手方向の長さ、または中心穴の有無を検知するようになっていることを特徴とする請求項１３記載の棒金収納庫。
【発明の詳細な説明】
【技術分野】
【０００１】
本発明は、棒金硬貨（同一金種の硬貨を一定枚数だけ棒状にまとめて包装したもの）を収納する棒金収納庫に関し、とりわけ、複数の棒金収納ユニットをレイアウト自在に収納ドロアに収容できるようにするとともに、収納ドロアに対する棒金収納ユニットの装着ミス（選択ミスや配置ミス等）を防止することができる棒金収納庫に関する。
【背景技術】
【０００２】
従来から、棒金硬貨を収納する棒金収納庫として、様々な種類のものが知られている。例えば、特許文献１には、棒金硬貨を収納するとともに、紙幣を含む紙葉類や棒金硬貨以外の硬貨（バラ硬貨等）も収納することができるような補助保管装置が開示されている。
【０００３】
特許文献１に開示される補助保管装置においては、棒金硬貨用の補助収納部、紙幣用の補助収納部、および貨幣以外の紙葉類（例えば小切手）用の補助収納部等がそれぞれ着脱自在に設けられており、補助保管装置の使用態様に合わせてこれらの補助収納部のレイアウトを自在に変更することができるようになっている。
【先行技術文献】
【特許文献】
【０００４】
【特許文献１】特開２００９−２３８１４７号公報
【発明の概要】
【発明が解決しようとする課題】
【０００５】
特許文献１に開示されるような補助保管装置では、その使用状況に合わせて各収納部の選択やレイアウトが自在となっているが、自在であるがゆえに収納部の選択ミスや配置ミス（レイアウトミス）が生じやすいという問題がある。
【０００６】
本発明は、このような点を考慮してなされたものであり、複数の棒金収納ユニットをレイアウト自在に収納ドロアに収容できるようにするとともに、収納ドロアに対する棒金収納ユニットの装着ミス（選択ミスや配置ミス等）を防止することができる棒金収納庫を提供することを目的とする。
【課題を解決するための手段】
【０００７】
本発明の棒金収納庫は、特定の金種の棒金硬貨を収納する棒金収納部を１または複数有する棒金収納ユニットと、複数の前記棒金収納ユニットをレイアウト変更可能に収容する収納ドロアと、前記収納ドロアからの前記棒金収納ユニットの取り出しを規制するロック部と、を備えたことを特徴とする。
【０００８】
このような棒金収納庫によれば、複数の棒金収納ユニットをレイアウト自在に収納ドロアに収容できるようになっているので、棒金収納庫の使用状況に合わせてこの棒金収納庫に収納されるべき棒金硬貨の金種を容易に変更することができるようになる。また、ロック部により収納ドロアからの棒金収納ユニットの取り出しが規制されている場合には棒金収納ユニットのレイアウトを変更することができないようになるので、棒金収納ユニットのレイアウト変更に制限がかかるようになり、収納ドロアに対する棒金収納ユニットの選択ミスや配置ミス等の装着ミスを防止することができる。
【０００９】
本発明の棒金収納庫においては、前記棒金収納ユニットは、異なる金種の棒金硬貨をそれぞれ収納する複数の棒金収納部を有していてもよい。
【００１０】
本発明の棒金収納庫においては、前記収納ドロアは、棒金硬貨の一部の金種に対応する前記棒金収納ユニットのみについてレイアウト変更可能に収容するようになっており、他の金種に対応する前記棒金収納ユニットの配置箇所は固定されていてもよい。
【００１１】
本発明の棒金収納庫においては、前記ロック部は、それぞれの前記棒金収納ユニットについて、他の棒金収納ユニットから独立して前記収納ドロアからの取り出しを規制するようになっていてもよい。
【００１２】
あるいは、前記ロック部は、複数の前記棒金収納ユニットについて、前記収納ドロアからの前記棒金収納ユニットの取り出しを一括して規制するようになっていてもよい。
【００１３】
本発明の棒金収納庫においては、前記ロック部は、全ての前記棒金収納ユニットについて、前記収納ドロアからの前記棒金収納ユニットの取り出しを一括して規制するようになっていてもよい。
【００１４】
本発明の棒金収納庫においては、前記収納ドロアに収容された前記棒金収納ユニットの種別を検知する棒金収納ユニット検知部を更に備えていてもよい。この場合には、収納ドロアにおける各位置にどの種別の棒金収納ユニットが収容されたのかを棒金収納ユニット検知部により検知することができ、このため収納ドロアに対する棒金収納ユニットの選択ミスや配置ミス等の装着ミスをより一層防止することができる。
【００１５】
この際に、前記棒金収納ユニット検知部は、前記棒金収納ユニットの前記棒金収納部に収納された棒金硬貨の金種を検知するのにも用いられるようになっていてもよい。
【００１６】
この場合、前記棒金収納ユニット検知部は光学センサを有し、前記棒金収納ユニットは、当該棒金収納ユニットの前記棒金収納部に収納された棒金硬貨の形状を前記光学センサにより検知するための透光部分を有し、当該透光部分は前記棒金収納ユニットの種別毎に異なる形状となっており、前記光学センサは、前記棒金収納ユニットの前記透光部分の形状を検知することにより当該棒金収納ユニットの種別を検知するようになっていてもよい。
【００１７】
また、前記光学センサは、当該棒金収納ユニットの前記棒金収納部に収納された棒金硬貨の形状を検知する際に、当該棒金硬貨の直径、長手方向の長さ、または中心穴の有無を検知するようになっていてもよい。
【００１８】
本発明の棒金収納庫は、特定の金種の棒金硬貨を収納する棒金収納部を１または複数有する棒金収納ユニットと、複数の前記棒金収納ユニットをレイアウト変更可能に収容する収納ドロアと、前記収納ドロアに収容された前記棒金収納ユニットの種別を検知する棒金収納ユニット検知部と、を備えたことを特徴とする。
【００１９】
このような棒金収納庫によれば、収納ドロアに収納された棒金収納ユニットの種別を検知する棒金収納ユニット検知部が設けられているので、収納ドロアにおける各位置にどの種別の棒金収納ユニットが収容されたのかを棒金収納ユニット検知部により検知することができ、このため収納ドロアに対する棒金収納ユニットの選択ミスや配置ミス等の装着ミスを防止することができる。
【００２０】
この際に、前記棒金収納ユニット検知部は、前記棒金収納ユニットの前記棒金収納部に収納された棒金硬貨の金種を検知するのにも用いられるようになっていてもよい。
【００２１】
この場合、前記棒金収納ユニット検知部は光学センサを有し、前記棒金収納ユニットは、当該棒金収納ユニットの前記棒金収納部に収納された棒金硬貨の形状を前記光学センサにより検知するための透光部分を有し、当該透光部分は前記棒金収納ユニットの種別毎に異なる形状となっており、前記光学センサは、前記棒金収納ユニットの前記透光部分の形状を検知することにより当該棒金収納ユニットの種別を検知するようになっていてもよい。
【００２２】
また、前記光学センサは、当該棒金収納ユニットの前記棒金収納部に収納された棒金硬貨の形状を検知する際に、当該棒金硬貨の直径、長手方向の長さ、または中心穴の有無を検知するようになっていてもよい。
【発明の効果】
【００２３】
本発明の棒金収納庫によれば、複数の棒金収納ユニットをレイアウト自在に収納ドロアに収容できるようにするとともに、収納ドロアに対する棒金収納ユニットの装着ミス（選択ミスや配置ミス等）を防止することができる。
【図面の簡単な説明】
【００２４】
【図１】本発明の一の実施の形態による棒金収納庫の斜視図である。
【図２】図１に示す棒金収納庫において、筐体から収納ドロアを引き出したときの状態を示す斜視図である。
【図３】図１等に示す棒金収納庫における収納ドロアの構成を示す上面図である。
【図４】図３に示す収納ドロアに収容される棒金収納ユニットの構成を示す図である。
【図５Ａ】図１等に示す棒金収納庫における収納ドロアおよび筐体を側方から見たときの概略的な構成を示す概略側面図である。
【図５Ｂ】図５Ａに示す収納ドロアおよび筐体のＡ−Ａ矢視による縦断面図である。
【図６】図３に示す収納ドロアに設けられたロック部の構成を示す上面図である。
【図７】本実施の形態の棒金収納庫における棒金収納ユニットの他の構成を示す図である。
【図８】変形例に係る棒金収納庫における収納ドロアの構成を示す上面図である。
【図９】図８に示す収納ドロアに収容される棒金収納ユニットの構成を示す図である。
【図１０】本発明の棒金収納庫における収納ドロアの更に他の例を示す上面図である。
【図１１】本発明の棒金収納庫における収納ドロアの更に他の例を示す上面図である。
【図１２】本発明の棒金収納庫における収納ドロアの更に他の例を示す上面図である。
【発明を実施するための形態】
【００２５】
以下、図面を参照して本発明の一の実施の形態について説明する。図１乃至図６は、本実施の形態に係る棒金収納庫を示す図である。
【００２６】
図１および図２は、本実施の形態に係る棒金収納庫１０の斜視図である。棒金収納庫１０は、略直方体形状の筐体１２と、筐体１２に対して引き出し自在に設けられた収納ドロア１４とを有している。図１は、棒金収納庫１０の筐体１２に収納ドロア１４を完全に収容したときの状態を示し、図２は、棒金収納庫１０の筐体１２から収納ドロア１４を手前側に引き出したときの状態を示している。
【００２７】
また、図３は、図１等に示す棒金収納庫１０における収納ドロア１４の構成を示す上面図であり、図４は、図３に示す収納ドロア１４に収容される棒金収納ユニット２０、３０の構成を示す図である。図３に示すように、収納ドロア１４には、複数の棒金収納ユニット２０、３０がレイアウト変更可能に収容されるようになっている。より詳細には、図３に示すように、収納ドロア１４には、３つのユニット装着部４２が棒金収納庫１０の幅方向（図３における左右方向）に沿って並列に設けられており、各ユニット装着部４２には、収納ドロア１４の引き出し方向（図３における上下方向）に沿って複数の棒金収納ユニット２０、３０が一列に収容されるようになっている。ここで、各ユニット装着部４２には収納ドロア１４の引き出し方向に沿って複数の位置決め用凸部４４が設けられており、棒金収納ユニット２０、３０を各ユニット装着部４２に収容する際に棒金収納ユニット２０、３０の底部に設けられた位置決め用凹部２７、３７（後述）が位置決め用凸部４４に嵌合されるようになっている。以下、棒金収納ユニット２０、３０の構成の詳細について以下に説明する。
【００２８】
本実施の形態の棒金収納庫１０では、棒金収納ユニット２０、３０は、金種毎に異なる構成となっている。図４では、棒金収納ユニット２０、３０の構成の例として、５００円の棒金硬貨を収納する５００円棒金硬貨用の棒金収納ユニット２０、および１円の棒金硬貨を収納する１円棒金硬貨用の棒金収納ユニット３０が示されている。なお、１円や５００円以外の金種の棒金硬貨を収納する棒金収納ユニットについても、本実施の形態では図示はしないが図４に示すような棒金収納ユニット２０、３０に準じた構成となっている。
【００２９】
５００円棒金硬貨用の棒金収納ユニット２０の構成について、図４（ａ）（ｂ）を用いて説明する。図４（ａ）は、棒金収納ユニット２０の上面図であり、図４（ｂ）は、図４（ａ）に示す棒金収納ユニット２０をＡ−Ａ方向から見た側面図である。図４（ａ）に示すように、棒金収納ユニット２０には、５００円の棒金硬貨を収納する棒金収納部２２が設けられている。より詳細には、この棒金収納ユニット２０には、５００円の棒金硬貨が載置される棒金受け部２４が設けられており、５００円の棒金硬貨は棒金受け部２４上で受けられるようになっている。図４（ｂ）において、棒金収納部２２に収納されて棒金受け部２４上で受けられる５００円の棒金硬貨を参照符号２１で示す。
【００３０】
また、図４（ａ）に示すように、棒金収納ユニット２０の底部における長手方向の中央位置には、棒金硬貨の直径検知用のスリット２６が設けられている。このスリット２６は、棒金収納部２２に収納された５００円の棒金硬貨の直径の大きさを検知する際に後述する検知センサ１６の発光部１６ａから発光された光が透過するよう構成されている。また、図４（ｂ）に示すように、棒金収納ユニット２０の側部には、棒金硬貨の中心穴検知用の透光窓２８が設けられている。この透光窓２８は、棒金収納部２２に収納された棒金硬貨の中心穴の有無を検知する際に後述する検知センサ５０の発光部５０ａから発光された光が透過するよう構成されている。
【００３１】
また、図４（ｂ）に示すように、棒金収納ユニット２０の底部には位置決め用凹部２７が設けられている。この位置決め用凹部２７は、棒金収納ユニット２０を収納ドロア１４に収容する際に当該収納ドロア１４のユニット装着部４２に設けられた位置決め用凸部４４が位置決め用凹部２７に嵌合することにより、収納ドロア１４に収容された棒金収納ユニット２０の位置合わせを行うようになっている。また、棒金収納ユニット２０の側部には、後述するロック部５１のフック部材５８が係合される係合穴２９が設けられている。
【００３２】
次に、１円棒金硬貨用の棒金収納ユニット３０の構成について、図４（ｃ）（ｄ）を用いて説明する。図４（ｃ）は、棒金収納ユニット３０の上面図であり、図４（ｄ）は、図４（ｃ）に示す棒金収納ユニット２０をＢ−Ｂ方向から見た側面図である。本実施の形態の棒金収納庫１０では、各金種の棒金収納ユニットの外形の形状およびサイズは全て同一となっている。図４（ｃ）に示すように、棒金収納ユニット３０には、１円の棒金硬貨を収納する棒金収納部３２が設けられている。より詳細には、この棒金収納ユニット３０には、１円の棒金硬貨が載置される棒金受け部３４が設けられており、１円の棒金硬貨は棒金受け部３４上で受けられるようになっている。図４（ｄ）において、棒金収納部３２に収納されて棒金受け部３４上で受けられる１円の棒金硬貨を参照符号３１で示す。本実施の形態の棒金収納庫１０では、各金種の棒金収納ユニットにおける棒金収納部および棒金受け部の構成は、収納されるべき棒金硬貨の金種によって異なるようになっている。
【００３３】
また、図４（ｃ）に示すように、棒金収納ユニット３０の底部における長手方向の中央位置には、棒金硬貨の直径検知用のスリット３６が設けられている。このスリット３６は、棒金収納部３２に収納された１円の棒金硬貨の直径の大きさを検知する際に後述する検知センサ１６の発光部１６ａから発光された光が透過するよう構成されている。また、図４（ｄ）に示すように、棒金収納ユニット３０の側部には、棒金硬貨の中心穴検知用の透光窓３８が設けられている。この透光窓３８は、棒金収納部３２に収納された棒金硬貨の中心穴の有無を検知する際に検知センサ５０の発光部５０ａ（後述）から発光された光が透過するよう構成されている。本実施の形態の棒金収納庫１０では、各金種の棒金収納ユニットにおける透光窓の構成は、収納されるべき棒金硬貨の金種によって異なるようになっている。
【００３４】
また、図４（ｄ）に示すように、棒金収納ユニット３０の底部には位置決め用凹部３７が設けられている。この位置決め用凹部３７は、棒金収納ユニット３０を収納ドロア１４に収容する際に当該収納ドロア１４のユニット装着部４２に設けられた位置決め用凸部４４が位置決め用凹部３７に嵌合することにより、収納ドロア１４に収容された棒金収納ユニット３０の位置合わせを行うようになっている。また、棒金収納ユニット３０の側部には、後述するロック部５１のフック部材５８が係合される係合穴３９が設けられている。本実施の形態の棒金収納庫１０では、位置決め用凹部および係合穴の構成は、全ての金種の棒金収納ユニットにおいて同一となっている。
【００３５】
前述のように、１円や５００円以外の金種の棒金硬貨を収納する棒金収納ユニットについても、５００円棒金硬貨用の棒金収納ユニット２０や１円棒金硬貨用の棒金収納ユニット３０に準じた構成となっている。より詳細には、棒金収納部、棒金受け部、透光窓の構成は、各金種の棒金収納ユニットによって異なるようになっているが、他の構成については全ての金種の棒金収納ユニットにおいて同一となっている。このため、図３に示すような収納ドロア１４において、１円や５００円以外の金種の棒金硬貨を収納する棒金収納ユニットを各ユニット装着部４２に収容することも可能である。図３等において、収納ドロア１４等に収容される棒金収納ユニットが参照符号２０、３０で示されているが、これは５００円棒金硬貨用および１円棒金硬貨用の棒金収納ユニット２０、３０のみが収納ドロア１４に収容可能となっていることを意味するものではない。また、以下の文章において棒金収納ユニットについて参照符号２０、３０を付して説明しているが、これは必ずしも５００円棒金硬貨用および１円棒金硬貨用の棒金収納ユニットに限定するということを意味するものではなく、各金種の棒金収納ユニットを説明するにあたり便宜上参照符号２０、３０を付している場合もある。
【００３６】
図５Ａは、図１等に示す棒金収納庫１０における収納ドロア１４および筐体１２を側方から見たときの概略的な構成を示す概略側面図である。図５Ａに示すように、各棒金収納ユニット２０、３０の棒金収納部２２、３２に収納された棒金硬貨の直径の大きさを検知する検知センサ１６が棒金収納庫１０の筐体１２に設けられている。図４では１つの検知センサ１６しか示されていないが、実際には、検知センサ１６は、各ユニット装着部４２に対応して筐体１２の幅方向に沿って３つ設置されている。
【００３７】
より詳細には、検知センサ１６は光学センサからなり、この検知センサ１６は、筐体１２の下面内方に設けられ光を発光する発光部１６ａと、筐体１２の上面内方に設けられ、発光部１６ａによって発光された光を受光する受光部１６ｂとを有している。これらの発光部１６ａおよび受光部１６ｂは、筐体１２に収容された収納ドロア１４を上下方向から挟むよう設けられている。また、図３に示すように、収納ドロア１４の各ユニット装着部４２の底部における中央位置には、当該収納ドロア１４の引き出し方向（図３における上下方向）に沿って棒金硬貨の直径検知用のスリット４６が設けられている。これらのスリット４６は、各棒金収納ユニット２０、３０の棒金収納部２２、３２に収納された棒金硬貨の直径の大きさを検知する際に、検知センサ１６の発光部１６ａから発光された光が透過するよう構成されている。このようにして、各検知センサ１６の発光部１６ａから発光された光は、スリット４６および各棒金収納ユニット２０、３０に設けられたスリット２６、３６を通過して各受光部１６ｂにより受光されるようになっている。
【００３８】
収納ドロア１４を筐体１２から引き出したりこの筐体１２に収納ドロア１４を収容したりする際に、各検知センサ１６により各棒金収納ユニット２０、３０の棒金収納部２２、３２に収納された棒金硬貨の直径の大きさが検知されるようになっている。具体的には、各棒金収納ユニット２０、３０の棒金収納部２２、３２に棒金硬貨が収納されている場合には、各検知センサ１６の発光部１６ａから発光された光が棒金収納部２２、３２内の棒金硬貨により遮られて一時的に受光部１６ｂに届かなくなり、このことにより各検知センサ１６は棒金収納部２２内の棒金硬貨の直径の大きさを検知する。
【００３９】
また、図３に示すように、各棒金収納ユニット２０、３０の棒金収納部２２、３２に収納された棒金硬貨の中心穴の有無を検知する検知センサ５０が棒金収納庫１０の筐体１２に設けられている。検知センサ５０は、各ユニット装着部４２に対応して筐体１２の幅方向に沿って３つ設置されている。
【００４０】
より詳細には、検知センサ５０は光学センサからなり、この検知センサ５０は、ユニット装着部４２を左右方向から挟むよう設けられた発光部５０ａおよび受光部５０ｂを有しており、発光部５０ａから発光された光が受光部５０ｂにより受光されるようになっている。各検知センサ５０は収納ドロア１４ではなく筐体１２に取り付けられており、収納ドロア１４を筐体１２から引き出したりこの筐体１２に収納ドロア１４を収容したりする際に（すなわち収納ドロア１４が図３における上下方向に移動する際に）、各検知センサ５０により各棒金収納ユニット２０、３０の棒金収納部２２、３２に収納された棒金硬貨の中心穴の有無が検知されるようになっている。より詳細には、棒金収納部２２、３２に収納された棒金硬貨の金種が５円または５０円であり、棒金硬貨に中心穴が存在する場合には、各検知センサ５０の発光部５０ａから発光された光は、各棒金収納ユニット２０、３０の側部に設けられた透光窓２８、３８および棒金収納部２２、３２に収納された棒金硬貨の中心穴を通過して各受光部５０ｂにより受光される。一方、棒金収納部２２、３２に収納された棒金硬貨の金種が１円、１０円、１００円または５００円であり、棒金硬貨に中心穴が存在しない場合には、各検知センサ５０の発光部５０ａから発光された光は棒金硬貨により遮られて各受光部５０ｂにより受光されなくなることにより、棒金収納部２２、３２に収納された棒金硬貨に中心穴が存在しないことが検知される。
【００４１】
また、収納ドロア１４には、検知センサ５０が収容されるスリット４８が収納ドロア１４の引き出し方向（図３における上下方向）に延びるよう設けられている。このようなスリット４８が設けられていることにより、収納ドロア１４を筐体１２から引き出した場合でも収納ドロア１４と検知センサ５０とが互いに干渉（衝突）しないようになる。
【００４２】
本実施の形態の棒金収納庫１０では、検知センサ１６および検知センサ５０による検知情報に基づいて、棒金収納ユニット２０、３０の棒金収納部２２、３２に収納された棒金硬貨の金種を検知するようになっている。なお、棒金収納部２２、３２に収納された棒金硬貨の金種を検知するにあたり、上述のような検知センサ１６や検知センサ５０に加えて、あるいは上述のような検知センサ１６や検知センサ５０を用いる代わりに、棒金硬貨の長手方向の長さを検知する検知センサ４０や、棒金硬貨の材質（アルミニウム、真鍮、白銅等）を検出する検知センサ４１が用いられてもよい。このような検知センサ４０、４１について図５Ｂを用いて説明する。図５Ｂは、図５Ａに示す収納ドロア１４および筐体１２のＡ−Ａ矢視による縦断面図である。
【００４３】
棒金硬貨の長手方向の長さを検知する検知センサ４０は、各収納ドロア１４に対応して設けられている。具体的には、図５Ｂに示すように、検知センサ４０は、収納ドロア１４の真上で筐体１２に固定されたラインセンサから構成されている。このラインセンサは、各棒金収納ユニット２０、３０の棒金収納部２２、３２に収納されたときの棒金硬貨の軸方向に沿って延びるよう設けられている。このようなラインセンサからなる検知センサ４０により、収納ドロア１４を筐体１２から引き出したりこの筐体１２に収納ドロア１４を収容したりする際に、各棒金収納ユニット２０、３０の棒金収納部２２、３２に収納された棒金硬貨の長さが検知されるようになっている。
【００４４】
棒金硬貨の材質を検出する検知センサ４１は、各収納ドロア１４に対応して設けられている。具体的には、図５Ｂに示すように、検知センサ４１は、収納ドロア１４の真下で筐体１２に固定された磁気センサから構成されている。このような磁気センサからなる検知センサ４１により、収納ドロア１４を筐体１２から引き出したりこの筐体１２に収納ドロア１４を収容したりする際に、各棒金収納ユニット２０、３０の棒金収納部２２、３２に収納された棒金硬貨の材質が検知されるようになっている。
【００４５】
また、本実施の形態の棒金収納庫１０では、検知センサ５０は、収納ドロア１４に収容された棒金収納ユニット２０、３０の種別も検知するようになっている。より具体的には、検知センサ５０により各棒金収納ユニット２０、３０の棒金収納部２２、３２に収納された棒金硬貨の中心穴の有無が検知させる際に、この検知センサ５０により各棒金収納ユニット２０、３０の透光窓２８、３８のサイズや形状、具体的には透光窓２８、３８の幅の大きさａ、ｂも検知されるようになっている。ここで、前述のように、透光窓２８、３８の構成は、各金種の棒金収納ユニット２０、３０によって異なるようになっているので、透光窓２８、３８の幅の大きさａ、ｂが検知されることにより、検知センサ５０はどの種別の棒金収納ユニット２０、３０が収容されているかを検知することができるようになる。
【００４６】
図６は、図３に示す収納ドロア１４に設けられたロック部５１の構成を示す上面図である。ロック部５１は、収納ドロア１４からの各棒金収納ユニット２０、３０の取り出しを規制するようになっている。図６では１つのロック部５１しか示されていないが、実際には、ロック部５１は、各ユニット装着部４２に対応して筐体１２の幅方向に沿って３つ設置されている。このようなロック部５１の構成の詳細について図３および図６を用いて説明する。
【００４７】
図３に示すように、収納ドロア１４には、各ユニット装着部４２に対応して３つの錠部材５２が設置されている。図６に示すように、各錠部材５２には鍵穴５２ａが設けられている。また、錠部材５２にはアーム部材５４が設けられており、鍵穴５２ａに鍵を差し込んで錠部材５２を回転させるとアーム部材５４も錠部材５２を中心として回転するようになっている。アーム部材５４の先端部分には開口５４ａが設けられている。
【００４８】
また、図６に示すように、ユニット装着部４２の側方には、収納ドロア１４の引き出し方向（図６における上下方向）に延びるリンク部材５６が設けられている。リンク部材５６の端部上面には突起部５６ａが設けられており、この突起部５６ａはアーム部材５４の開口５４ａ内に位置するようになっている。このことにより、アーム部材５４が図６における実線位置から鎖線位置まで回転すると、リンク部材５６の突起部５６ａがアーム部材５４の開口５４ａに連動して図６における上方に移動させられ、リンク部材５６自体も図６における実線位置から鎖線位置まで移動する。一方、アーム部材５４が図６における鎖線位置から実線位置まで回転すると、リンク部材５６も図６における鎖線位置から実線位置まで移動する。このようにして、鍵穴５２ａに鍵を差し込んで錠部材５２を回転させることにより、リンク部材５６は図６における上下方向に往復移動するようになっている。
【００４９】
また、図６に示すように、各棒金収納ユニット２０、３０の側部近傍にはフック部材５８が設けられている。各フック部材５８は軸５８ａを中心として回転するようになっている。また、各フック部材５８の一方の端部５８ｂは係合穴２９、３９に係合するようになっており、フック部材５８の他方の端部には開口５８ｃが設けられている。各フック部材５８の端部５８ｂが係合穴２９、３９に係合しているときには、各棒金収納ユニット２０、３０をユニット装着部４２から取り出すことができないようになっている。また、リンク部材５６の上面には、各フック部材５８の開口５８ｃに対応して複数の突起部５６ｂが設けられており、各突起部５６ｂは各フック部材５８の開口５８ｃ内に位置するようになっている。このことにより、リンク部材５６が図６における実線位置から上方に移動して鎖線位置まで達すると、各フック部材５８も軸５８ａを中心として回転し、各フック部材５８は実線位置から鎖線位置まで移動する。このようにして、各フック部材５８の端部５８ｂが各棒金収納ユニット２０、３０の係合穴２９、３９から外れ、各棒金収納ユニット２０、３０をユニット装着部４２から取り出すことができるようになる。
【００５０】
本実施の形態の棒金収納庫１０においては、錠部材５２、アーム部材５４、リンク部材５６およびフック部材５８によりロック部５１が構成されている。図６に示すような構成のロック部５１では、複数の棒金収納ユニット２０、３０について、収納ドロア１４からの棒金収納ユニット２０、３０の取り出しを一括して規制するようになっている。すなわち、図６に示すようなロック部５１において、鍵穴５２ａに鍵を差し込んで錠部材５２を回転させると、全てのフック部材５８の端部５８ｂが各棒金収納ユニット２０、３０の係合穴２９、３９から外れることにより、このロック部５１に対応する全ての棒金収納ユニット２０、３０がユニット装着部４２から取り出し可能となる。
【００５１】
なお、鍵穴５２ａに差し込まれる鍵は例えば特定の権限を有する管理者のみが所有するようになっており、この場合には管理者しかロック部５１による各棒金収納ユニット２０、３０の取り出しの規制を解除することができないようになっている。
【００５２】
次に、このような構成からなる棒金収納庫１０の動作について説明する。
【００５３】
図１に示すように棒金収納庫１０の筐体１２に収納ドロア１４が完全に収容されているときに、操作者が収納ドロア１４を筐体１２から手前に引き出すと、図２に示すように収納ドロア１４から棒金硬貨を取り出すことができるようになる。ここで、収納ドロア１４が筐体１２から引き出される際に、図５Ａに示すような検知センサ１６によって、各棒金収納ユニット２０、３０の棒金収納部２２、３２に収納された棒金硬貨の直径の大きさが検知される。また、収納ドロア１４が筐体１２から引き出される際に、図３に示すような検知センサ５０によって、各棒金収納ユニット２０、３０の棒金収納部２２、３２に収納された棒金硬貨の中心穴の有無が検知される。また、棒金硬貨の長手方向の長さを検知する検知センサが棒金収納庫１０に設けられている場合には、収納ドロア１４が筐体１２から引き出される際に、この検知センサによって各棒金収納ユニット２０、３０の棒金収納部２２、３２に収納された棒金硬貨の長手方向の長さが検知される。そして、各検知センサによる検知情報に基づいて、各棒金収納ユニット２０、３０の棒金収納部２２、３２に収納された棒金硬貨の金種が検知される。
【００５４】
また、図２に示すように、棒金収納庫１０の筐体１２から収納ドロア１４が引き出されているときに、操作者が収納ドロア１４を筐体１２内に押し込むと、図１に示すように収納ドロア１４が筐体１２内に完全に収容され、この収納ドロア１４から棒金硬貨を取り出すことができないようになる。ここで、収納ドロア１４が筐体１２に収容される際に、収納ドロア１４が筐体１２から引き出される場合と同様の方法により、各検知センサによる検知情報に基づいて、各棒金収納ユニット２０、３０の棒金収納部２２、３２に収納された棒金硬貨の金種が検知される。
【００５５】
また、図２に示すように棒金収納庫１０の筐体１２から収納ドロア１４が引き出されている状態で、特定の管理権限を有する管理者が鍵を錠部材５２の鍵穴５２ａに差し込んで回転させると、図６の鎖線で示すようにロック部５１のフック部材５８が各棒金収納ユニット２０、３０の係合穴２９、３９から外れることにより、収納ドロア１４から各棒金収納ユニット２０、３０を取り出すことができるようになる。ここで、各金種の棒金収納ユニット２０、３０の形状およびサイズは全て同一となっているので、この管理者は棒金収納ユニット２０、３０のレイアウトを変更することができる。
【００５６】
以上のように本実施の形態の棒金収納庫１０によれば、特定の金種の棒金硬貨を収納する棒金収納部２２、３２を有する棒金収納ユニット２０、３０と、複数の棒金収納ユニット２０、３０をレイアウト変更可能に収容する収納ドロア１４と、収納ドロア１４からの棒金収納ユニット２０、３０の取り出しを規制するロック部５１とを備えている。このように、複数の棒金収納ユニット２０、３０をレイアウト自在に収納ドロア１４に収容できるようになっているので、棒金収納庫１０の使用状況に合わせてこの棒金収納庫１０に収納されるべき棒金硬貨の金種を容易に変更することができるようになる。また、ロック部５１により収納ドロア１４からの棒金収納ユニット２０、３０の取り出しが規制されている場合には各棒金収納ユニット２０、３０のレイアウトを変更することができないようになるので、特定の管理権限を有する管理者しか各棒金収納ユニット２０、３０のレイアウトを変更できない等、棒金収納ユニット２０、３０のレイアウト変更に制限がかかるようになり、収納ドロア１４に対する棒金収納ユニット２０、３０の選択ミスや配置ミス等の装着ミスを防止することができる。
【００５７】
また、本実施の形態の棒金収納庫１０においては、ロック部５１は、複数の棒金収納ユニット２０、３０について、収納ドロア１４からの棒金収納ユニット２０、３０の取り出しを一括して規制するようになっている。このことにより、ロック部５１を操作することにより複数の棒金収納ユニット２０、３０についてまとめてレイアウト変更することができる。
【００５８】
また、本実施の形態の棒金収納庫１０においては、収納ドロア１４に収容された棒金収納ユニット２０、３０の種別を検知する検知センサ５０が設けられている。このような検知センサ５０が設けられていることにより、収納ドロア１４における各位置にどの種別の棒金収納ユニット２０、３０が収容されたのかを検知センサ５０により検知することができ、このため収納ドロア１４に対する棒金収納ユニット２０、３０の選択ミスや配置ミス等の装着ミスをより一層防止することができる。
【００５９】
また、本実施の形態の棒金収納庫１０においては、棒金収納ユニット２０、３０の種別を検知するのに用いられる検知センサ５０は、棒金収納ユニット２０、３０の棒金収納部２２、３２に収納された棒金硬貨の金種を検知するのにも用いられるようになっている。このため、検知センサ５０は、棒金硬貨の金種を検知するためのセンサ、および棒金収納ユニット２０、３０の種別を検知するためのセンサの両方を兼ねることができ、それぞれのセンサを別々に設けた場合と比較して設置されるセンサの数を減らすことができる。
【００６０】
より詳細には、本実施の形態の棒金収納庫１０においては、検知センサ５０は光学センサからなり、棒金収納ユニット２０、３０は棒金硬貨の中心穴の有無を検知するための透光窓２８、３８を有し、当該透光窓２８、３８は棒金収納ユニット２０、３０の種別毎に異なる形状となっている。そして、検知センサ５０は、棒金収納ユニット２０、３０の透光窓２８、３８の形状（具体的には、透光窓２８、３８の幅の大きさａ、ｂ）を検知することにより当該棒金収納ユニット２０、３０の種別を検知するようになっている。
【００６１】
なお、本実施の形態による棒金収納庫１０は、上記の態様に限定されるものではなく、様々の変更を加えることができる。
【００６２】
例えば、棒金収納ユニットの構成は図４に示すようなものに限定されることはない。他の棒金収納ユニットの構成として、図７（ａ）（ｂ）に示すように、１つの棒金収納ユニットに２つの棒金収納部が設けられるようになっていてもよい。
【００６３】
より詳細に説明すると、図７（ａ）に示すような棒金収納ユニット６０には、同一の金種の棒金硬貨（具体的には、例えば５００円の棒金硬貨）を収納する２つの棒金収納部６４が設けられている。また、図７（ｂ）に示すような棒金収納ユニット６２には、異なる金種の棒金硬貨を収納する２つの棒金収納部６４、６６が設けられている。より詳細には、この棒金収納ユニット６２において、棒金収納部６４には５００円の棒金硬貨が収納されるようになっており、棒金収納部６６には１円の棒金硬貨が収納されるようになっている。また、棒金収納ユニット６０、６２を含む、２つ以上の棒金収納部が設けられた各種別の棒金収納ユニットの外形の形状およびサイズは全て同一となっている。図７に示すような２つの棒金収納部が設けられた棒金収納ユニットが用いられる場合でも、収納ドロア１４にはこれらの棒金収納ユニットがレイアウト変更可能に収容されるようになっている。
【００６４】
このように、図７に示すような２つ以上の棒金収納部が設けられた棒金収納ユニットを用いた場合でも、図３に示すような棒金収納ユニットを用いた場合と同様に、複数の棒金収納ユニットをレイアウト自在に収納ドロア１４に収容できるようになっているので、棒金収納庫１０の使用状況に合わせてこの棒金収納庫１０に収納されるべき棒金硬貨の金種を容易に変更することができるようになる。また、ロック部５１により収納ドロア１４からの棒金収納ユニットの取り出しが規制されるようになっているので、棒金収納ユニットの取り出しがロック部５１により規制されている場合には各棒金収納ユニットのレイアウトを変更することができないようになり、収納ドロア１４に対する棒金収納ユニットの選択ミスや配置ミス等の装着ミスを防止することができる。
【００６５】
また、本実施の形態による棒金収納庫１０においては、３つ以上の棒金収納部が設けられた棒金収納ユニットが用いられるようになっていてもよい。
【００６６】
また、本発明による棒金収納庫１０においては、棒金硬貨の一部の金種に対応する棒金収納ユニットのみについてレイアウト変更可能に収納ドロア１４に収容されるようになっており、他の金種に対応する棒金収納ユニットの配置箇所は固定されていてもよい。このような変形例について、図８および図９を用いて具体的に説明する。図８は、この変形例に係る棒金収納庫における収納ドロアの構成を示す上面図であり、図９は、図８に示す収納ドロアに収納される棒金収納ユニットの構成を示す図である。
【００６７】
図９（ａ）に示す棒金収納ユニット７０には、５００円の棒金硬貨が収納される棒金収納部が設けられている。一方、図９（ｂ）に示す棒金収納ユニット７２の外形は図９（ａ）に示す棒金収納ユニット７０の外形とサイズが異なるようになっており、この棒金収納ユニット７２には１円、５円、１０円、５０円および１００円の棒金硬貨がそれぞれ収納される各種の棒金収納部のうちいずれかの棒金収納部が設けられている。
【００６８】
また、図８に示すように、変形例に係る棒金収納庫１０における収納ドロア１４ａには、棒金収納ユニット７２が収容される２つのユニット装着部７４および棒金収納ユニット７０が収容される１つのユニット装着部７６が棒金収納庫１０の幅方向（図８における左右方向）に沿って並列に設けられている。各ユニット装着部７４には、収納ドロア１４ａの引き出し方向（図８における上下方向）に沿って複数の棒金収納ユニット７２が一列に収容されるようになっている。ここで、棒金収納ユニット７２には１円、５円、１０円、５０円および１００円の棒金硬貨がそれぞれ収納される各種の棒金収納部のうちいずれかの棒金収納部が設けられているので、これらの金種に対応する棒金収納ユニット７２についてレイアウト変更可能となる。
【００６９】
一方、ユニット装着部７６には、収納ドロア１４ａの引き出し方向に沿って複数の棒金収納ユニット７０が一列に収容されるようになっているが、棒金収納ユニット７０には５００円の棒金硬貨に対応する棒金収納部しか設けることができないため、この５００円の棒金硬貨に対応する棒金収納ユニット７０については実質的に棒金収納ユニット７０の配置箇所は固定されるようになる。すなわち、ユニット装着部７６には、５００円の棒金硬貨に対応する棒金収納ユニット７０しか配置することができず、このユニット装着部７６には他の金種の棒金硬貨に対応する棒金収納ユニット７２を配置することができないため、ユニット装着部７６において収納される棒金硬貨の金種は５００円に限定されてしまう。
【００７０】
このように、図８および図９に示すような態様によれば、収納ドロア１４ａは、棒金硬貨の一部の金種（１円、５円、１０円、５０円および１００円）に対応する棒金収納ユニット７２のみについてレイアウト変更可能に収容するようになっており、他の金種（５００円）に対応する棒金収納ユニット７０の配置箇所は固定されるようになる。
【００７１】
また、この変形例において、ユニット装着部７６を設ける代わりに、５００円の棒金硬貨を収納する棒金収納部を収納ドロア１４ａに直接設けてもよい。この場合でも、５００円の棒金硬貨を収納する棒金収納部の配置箇所は固定されるようになる。
【００７２】
また、図３に示す収納ドロア１４では、ロック部５１は、各ユニット装着部４２に対応して筐体１２の幅方向に沿って３つ設置されているが、このような例に限定されることはない。図１０に、本発明の棒金収納庫１０における収納ドロアの更に他の例を示す。図１０に示す収納ドロア１４ｂにおいて、図３等に示す収納ドロア１４と同一の構成要件については同一の参照符号を付してその説明を省略する。図１０に示す収納ドロア１４ｂにおいては、各ユニット装着部４２に対応してロック部５１が設けられるのではなく、各棒金収納ユニット２０、３０に対応してそれぞれロック部５１が設けられている。
【００７３】
より詳細には、図１０に示すように、収納ドロア１４ｂに収納される各棒金収納ユニット２０、３０に対応して錠部材５２が設けられており、特定の管理権限を有する管理者が鍵をある錠部材５２の鍵穴５２ａに差し込んで回転させると、この錠部材５２に対応する棒金収納ユニット２０、３０のみが収納ドロア１４ｂから取り外し可能となる。このように、図１０に示すような収納ドロア１４ｂでは、ロック部５１は、それぞれの棒金収納ユニット２０、３０について、他の棒金収納ユニット２０、３０から独立して収納ドロア１４ｂからの取り出しを規制するようになっている。
【００７４】
本発明の棒金収納庫１０における収納ドロアの更に他の例について、図１１を用いて説明する。図１１に示す収納ドロア１４ｃにおいて、図３等に示す収納ドロア１４と同一の構成要件については同一の参照符号を付してその説明を省略する。図１１に示す収納ドロア１４ｃにおいては、各ユニット装着部４２に対応してロック部５１が設けられるのではなく、当該収納ドロア１４ｃに対してロック部５１が１つのみ設けられている。より詳細には、図１１に示すように、収納ドロア１４ｃには１つの錠部材５２のみが設けられている。このような収納ドロア１４ｃにおいては、ロック部５１は、収納ドロア１４ｃに収容される全ての棒金収納ユニット２０、３０について、当該収納ドロア１４ｃからの棒金収納ユニット２０、３０の取り出しを一括して規制するようになっている。
【００７５】
本発明の棒金収納庫１０における収納ドロアの更に他の例について、図１２を用いて説明する。図１２に示す収納ドロア１４ｄにおいて、図３等に示す収納ドロア１４と同一の構成要件については同一の参照符号を付してその説明を省略する。図１２に示す収納ドロア１４ｄにおいては、ロック部５１が設けられておらず、この収納ドロア１４ｄから棒金収納ユニット２０、３０を自在に取り出すことができるようになっている。しかしながら、このような収納ドロア１４ｄでも、当該収納ドロア１４ｄに収納された棒金収納ユニット２０、３０の種別を検知する検知センサ５０が設けられているので、収納ドロア１４ｄにおける各位置にどの種別の棒金収納ユニット２０、３０が収容されたのかを検知センサ５０により検知することができ、このため収納ドロア１４ｄに対する棒金収納ユニット２０、３０の選択ミスや配置ミス等の装着ミスをより一層防止することができる。
【００７６】
また、本発明の棒金収納庫１０においては、収納ドロア１４に収容された棒金収納ユニット２０、３０の種別を検知する検知部として、検知センサ５０以外のものを用いてもよい。具体的に説明すると、例えば、検知センサ１６は、各棒金収納ユニット２０、３０の棒金収納部２２、３２に収納された棒金硬貨の直径の大きさを検知するとともに、収納ドロア１４に収容された棒金収納ユニット２０、３０の種別も検知するようになっていてもよい。この場合、各棒金収納ユニット２０、３０における棒金硬貨の直径検知用のスリット２６、３６の構成（例えばスリット２６、３６の幅の大きさ）が、各金種の棒金収納ユニット２０、３０によって異なるようになっている。そして、検知センサ１６により各棒金収納ユニット２０、３０の棒金収納部２２、３２に収納された棒金硬貨の直径の大きさが検知される際に、この検知センサ１６により各棒金収納ユニット２０、３０のスリット２６、３６のサイズや形状、具体的にはスリット２６、３６の幅の大きさも検知されるようになっている。ここで、前述のように、スリット２６、３６の構成は、各金種の棒金収納ユニット２０、３０によって異なるようになっているので、スリット２６、３６の幅の大きさが検知されることにより、検知センサ１６はどの種別の棒金収納ユニット２０、３０が収容されているかを検知することができるようになる。
【００７７】
また、棒金収納庫１０に、図５Ｂに示すような棒金硬貨の長手方向の長さを検知する検知センサ４０が設けられている場合には、収納ドロア１４に収容された棒金収納ユニット２０、３０の種別を検知する検知部として、この検知センサ４０を用いてもよい。具体的には、各棒金収納ユニット２０、３０の棒金収納部２２、２３の構成が、各金種の棒金収納ユニット２０、３０によって異なるようになっている。そして、この検知センサ４０により各棒金収納ユニット２０、３０の棒金収納部２２、３２に収納された棒金硬貨の長手方向の長さが検知される際に、この検知センサ４０により各棒金収納ユニット２０、３０の棒金収納部２２、２３のサイズや形状も検知されるようになっている。ここで、前述のように、棒金収納部２２、２３の構成は、各金種の棒金収納ユニット２０、３０によって異なるようになっているので、棒金収納部２２、２３のサイズや形状が検知されることにより、上述の検知センサ４０はどの種別の棒金収納ユニット２０、３０が収容されているかを検知することができるようになる。
【００７８】
また、棒金収納庫１０に、図５Ｂに示すような棒金硬貨の材質を検知する磁気センサ等の検知センサ４１が設けられている場合には、収納ドロア１４に収容された棒金収納ユニット２０、３０の種別を検知する検知部として、この検知センサ４１を用いてもよい。具体的には、各棒金収納ユニット２０、３０の外壁面であって、検知センサ４１に対向する外壁面、例えば底面に金属片を埋め込み、この金属片の材質が、各金種の棒金収納ユニット２０、３０によって異なるようになっている。そして、この検知センサ４１により各棒金収納ユニット２０、３０の棒金収納部２２、３２に収納された棒金硬貨の材質が検知される際に、この検知センサ４１により各棒金収納ユニット２０、３０に埋め込まれた金属片の材質も検知されるようになっている。ここで、前述のように、金属片の材質は、各金種の棒金収納ユニット２０、３０によって異なるようになっているので、金属質の材質が検知されることにより、上述の検知センサ４１はどの種別の棒金収納ユニット２０、３０が収容されているかを検知することができるようになる。
【００７９】
また、棒金収納庫１０の更に他の例として、各棒金収納ユニット２０、３０にＩＣタグ等の記録媒体が設けられており、棒金収納庫の筐体１２や収納ドロア１４には、各棒金収納ユニット２０、３０の記録媒体に記憶された情報を読み取る情報読取部が設けられるようになっていてもよい。各棒金収納ユニット２０、３０に設けられた記録媒体には、当該棒金収納ユニット２０、３０の種別を記憶するようになっており、情報読取部によってこの棒金収納ユニット２０、３０の種別が読み取られるようになっている。このような棒金収納庫１０においては、収納ドロア１４に収容された棒金収納ユニット２０、３０の種別を検知する検知部として、検知センサではなく情報読取部が用いられるようになる。
【符号の説明】
【００８０】
１０  棒金収納庫
１２  筐体
１４、１４ａ、１４ｂ、１４ｃ、１４ｄ  収納ドロア
１６  検知センサ
１６ａ  発光部
１６ｂ  受光部
２０  棒金収納ユニット
２１  ５００円の棒金硬貨
２２  棒金収納部
２４  棒金受け部
２６  スリット
２７  位置決め用凹部
２８  透光窓
２９  係合穴
３０  棒金収納ユニット
３１  １円の棒金硬貨
３２  棒金収納部
３４  棒金受け部
３６  スリット
３７  位置決め用凹部
３８  透光窓
３９  係合穴
４０  検知センサ
４１  検知センサ
４２  ユニット装着部
４４  位置決め用凸部
４６  スリット
４８  スリット
５０  検知センサ
５０ａ  発光部
５０ｂ  受光部
５１  ロック部
５２  錠部材
５２ａ  鍵穴
５４  アーム部材
５４ａ  開口
５６  リンク部材
５６ａ  突起部
５６ｂ  突起部
５８  フック部材
５８ａ  軸
５８ｂ  端部
５８ｃ  開口
６０  棒金収納ユニット
６２  棒金収納ユニット
６４  棒金収納部
６６  棒金収納部
７０  棒金収納ユニット
７２  棒金収納ユニット
７４  ユニット装着部
７６  ユニット装着部
【図１】
0005570909.tif 000002
【図２】
0005570909.tif 000003
【図３】
0005570909.tif 000004
【図４】
0005570909.tif 000005
【図５Ａ】
0005570909.tif 000006
【図５Ｂ】
0005570909.tif 000007
【図６】
0005570909.tif 000008
【図７】
0005570909.tif 000009
【図８】
0005570909.tif 000010
【図９】
0005570909.tif 000011
【図１０】
0005570909.tif 000012
【図１１】
0005570909.tif 000013
【図１２】
0005570909.tif 000014